【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
複数のノズルにより形成されたノズル列及び当該ノズル列を駆動するノズル列駆動部を有して成る少なくとも１つの記録ユニットと、搬送経路の上流側より搬送され前記複数のノズルから吐出されるインクによって記録処理がなされる記録媒体を載置搬送する搬送機構と、を有する画像記録装置において、
前記インクは導電性を有しており、
前記ノズル列における前記導電性インクの詰まり、又は汚れを回復させる回復処理を行うための回復部を少なくとも有する回復機構と、
前記記録媒体の前記搬送の異常を検出する搬送異常検出部と、
前記ノズル列駆動部への電力の供給を制御する電力制御部と、を少なくとも備え、
前記電力制御部は、前記搬送異常検出部が前記記録媒体の搬送異常を検出したときに、又は前記回復処理の過程において前記ノズル列の回復のために前記回復部を当該ノズル列に当接させるときに、前記ノズル列駆動部への電力の供給を遮断する制御を行う、ことを特徴とする画像記録装置。
【請求項２】
前記電力制御部を有する制御部を更に備えており、
前記制御部は、演算処理装置と当該演算処理装置に実行させる制御プログラムが予め格納されている記憶部とを少なくとも備えて構成され、当該演算処理装置で当該制御プログラムを実行させることにより前記電力制御部として機能する、ことを特徴とする請求項１に記載の画像記録装置。
【請求項３】
前記搬送異常検出部は、
前記搬送経路における前記搬送機構の上流側に配設され、前記記録媒体の端部を検出する第１の媒体検出部と、
前記搬送経路における前記搬送機構の下流側に配設され、前記記録媒体の端部を検出する第２の媒体検出部と、を備える、ことを特徴とする請求項１に記載の画像記録装置。
【請求項４】
前記回復部は、前記ノズル列に摺接させて当該ノズル列を払拭する払拭部と、前記ノズル列から吐出された前記導電性インクを少なくとも受滴する受滴部と、前記払拭部が払拭し又は前記受滴部が受滴した前記導電性インクを回収する回収部と、を備え、
前記回復機構は、前記記録処理において前記ノズルから吐出した前記導電性インクを前記記録媒体へ到達させるために退避する位置と、前記受滴部を前記ノズル列に当接させる位置と、前記払拭部を前記ノズル列に摺接させる位置と、に前記回復部をそれぞれ移動させる、ことを特徴とする請求項１に記載の画像記録装置。
【請求項５】
前記回復機構は、前記回復部を移動させるための回復部移動部を有する、ことを特徴とする請求項４に記載の画像記録装置。
【請求項６】
前記回復機構は、前記ノズル列における前記導電性インクの詰まりを前記受滴部の側から吸引するための負圧生成部を有する、ことを特徴とする請求項４に記載の画像記録装置。
【請求項７】
前記回復機構は、前記負圧生成部が吸引した前記導電性インクを回収するための廃液回収部を有する、ことを特徴とする請求項６に記載の画像記録装置。
【請求項８】
前記回復機構は、前記ノズル列内のインク室内を加圧して当該ノズル列におけるインクの詰まりを排出させるための加圧部を有する、ことを特徴とする請求項４乃至７のうちのいずれか１項に記載の画像記録装置。
【請求項９】
複数のノズルにより形成されたノズル列及び当該ノズル列を駆動するノズル列駆動部を有して成る少なくとも１つの記録ユニットと、搬送経路の上流側より搬送され前記複数のノズルから吐出されるインクによって記録処理がなされる記録媒体を載置搬送する搬送機構と、を有する画像記録装置の当該ノズル列駆動部への電力の供給を遮断する電力遮断処理方法であって、
前記インクは導電性を有しており、
前記記録処理の過程において前記搬送機構による前記記録媒体の載置搬送に異常が生じたか否か、及び前記ノズル列におけるインクの詰まり若しくは汚れを回復させる回復処理が開始されるか否かの判定を行い、
前記判定において前記搬送機構による前記記録媒体の載置搬送に異常が生じたと判定したときに、前記ノズル列駆動部への電力の供給を遮断し、
前記判定において前記回復処理が開始されると判定したときに、当該回復処理の過程において前記ノズル列の回復のために前記回復部を当該ノズル列に当接させるか否かの判定を行い、更にこの判定において当該回復部を当該ノズル列に当接させると判定したときに、前記ノズル列駆動部への電力の供給を遮断する、ことを特徴とする電力遮断処理方法。
【手続補正２】
【補正対象書類名】明細書
【補正対象項目名】発明の名称
【補正方法】変更
【補正の内容】
【発明の名称】画像記録装置、及び、その装置による電力遮断処理方法
【手続補正３】
【補正対象書類名】明細書
【補正対象項目名】００１７
【補正方法】変更
【補正の内容】
【００１７】
そこで本発明は、前述した課題に鑑みてなされてものであり、導電性インクによる記録処理において、ノズル列のノズル内部で絶縁不良が生じても、この絶縁不良と導電性インクとによって生じる更なる不具合進行を未然に防止することが可能な画像記録装置、及び、その装置による電力遮断処理方法の提供を目的とする。
【手続補正４】
【補正対象書類名】明細書
【補正対象項目名】００１８
【補正方法】変更
【補正の内容】
【００１８】
前述した目的を達成するために、本発明の態様のひとつである画像記録装置は、複数のノズルにより形成されたノズル列及び当該ノズル列を駆動するノズル列駆動部を有して成る少なくとも１つの記録ユニットと、搬送経路の上流側より搬送され複数のノズルから吐出されるインクによって記録処理がなされる記録媒体を載置搬送する搬送機構と、を有する画像記録装置において、インクは導電性を有しており、ノズル列における導電性インクの詰まり、又は汚れを回復させる回復処理を行うための回復部を少なくとも有する回復機構と、記録媒体の前記搬送の異常を検出する搬送異常検出部と、ノズル列駆動部への電力の供給を制御する電力制御部と、を少なくとも備え、電力制御部は、搬送異常検出部が記録媒体の搬送異常を検出したときに、又は回復処理の過程においてノズル列の回復のために回復部を当該ノズル列に当接させるときに、ノズル列駆動部への電力の供給を遮断する制御を行う、ことを特徴とする。
【手続補正５】
【補正対象書類名】明細書
【補正対象項目名】００１９
【補正方法】変更
【補正の内容】
【００１９】
また、本発明の別の態様のひとつである電力遮断処理方法は、複数のノズルにより形成されたノズル列及び当該ノズル列を駆動するノズル列駆動部を有して成る少なくとも１つの記録ユニットと、搬送経路の上流側より搬送され複数のノズルから吐出されるインクによって記録処理がなされる記録媒体を載置搬送する搬送機構と、を有する画像記録装置の当該ノズル列駆動部への電力の供給を遮断する電力遮断処理方法であって、インクは導電性を有しており、記録処理の過程において搬送機構による記録媒体の載置搬送に異常が生じたか否か、及びノズル列におけるインクの詰まり若しくは汚れを回復させる回復処理が開始されるか否かの判定を行い、判定において搬送機構による記録媒体の載置搬送に異常が生じたと判定したときに、ノズル列駆動部への電力の供給を遮断し、判定において回復処理が開始されると判定したときに、当該回復処理の過程においてノズル列の回復のために回復部を当該ノズル列に当接させるか否かの判定を行い、更にこの判定において当該回復部を当該ノズル列に当接させると判定したときに、ノズル列駆動部への電力の供給を遮断する、ことを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
本発明によれば、導電性インクによる記録処理において、ノズル列のノズル内部で絶縁不良が生じても、この絶縁不良と導電性インクとによって生じる更なる不具合進行を未然に防止することが可能な画像記録装置、及び、その装置による電力遮断処理方法を提供できる。